(57)【要約】【課題】電磁遮蔽が不要な環境下では、コネクタハウジングの一端面にシールドケースを装着せずに、前記一端面に直にフェルールハウジングを組み付けて、シールドケースの省略によるコストの削減や軽量化を図ることができるシールドコネクタを提供すること。【解決手段】コネクタハウジング１０は、その一端面１０ａに、フェルールハウジングに支持されたフェルールが挿入されるフェルール挿入孔１１と、一端面１０ａの一部である挿入孔周縁面１２に対してフェルールハウジングの嵌合方向手前側となる位置に張り出して設けられたフェルールハウジング受け部１４ａ〜１４ｄと、を備え、コネクタハウジング１０の一端面１０ａを電磁遮蔽する金属板製のシールドケース２０の周縁面遮蔽部Ｂ１には、該周縁面遮蔽部Ｂ１を挿入孔周縁面１２に重ねる際にフェルールハウジング受け部１４ａ〜１４ｄを挿通させる切欠部２６ａ〜２６ｄを備える。【選択図】図５
2014102986.tif 000002
【特許請求の範囲】
【請求項１】
一端面に、フェルールハウジングに支持されたフェルールが挿入されるフェルール挿入孔と、前記一端面の一部で前記フェルール挿入孔の周縁部となる挿入孔周縁面に対して前記フェルールハウジングの嵌合方向手前側となる位置に張り出して設けられて前記フェルールハウジングの先端面との当接によって前記フェルールハウジングの嵌合方向の位置を決定するフェルールハウジング受け部と、金属製の接続端子を収容した外部コネクタが嵌合接続される複数の外部コネクタ接続部と、を備えたコネクタハウジングと、
前記フェルールハウジング及び前記外部コネクタを嵌合接続可能に前記一端面側を覆って、前記一端面を電磁遮蔽する金属板製のシールドケースと、
を備えるシールドコネクタであって、
前記挿入孔周縁面を覆う前記シールドケースの周縁面遮蔽部には、該周縁面遮蔽部を前記挿入孔周縁面に重ねる際に前記フェルールハウジング受け部を挿通させて前記フェルールハウジング受け部と前記周縁面遮蔽部との干渉を回避する切欠部を備えていることを特徴とするシールドコネクタ。
【請求項２】
請求項１に記載のシールドコネクタにおいて、
前記シールドケースは、前記周縁面遮蔽部に着脱可能で、前記フェルールハウジングが装着されない場合に前記前記周縁面遮蔽部に取り付けることで、前記フェルール挿入孔を塞ぐ後付けカバーを備えていることを特徴とするシールドコネクタ。
【発明の詳細な説明】
【技術分野】
【０００１】
本発明は、フェルールを接続可能なシールドコネクタに関する。
【背景技術】
【０００２】
図８及び図９は、下記特許文献１に開示されたシールドコネクタを示したものである。
このシールドコネクタ１００は、フェルールハウジングに支持されたフェルールを接続可能なもので、樹脂製のコネクタハウジング１１０と、該コネクタハウジング１１０の一端面１１０ａを電磁遮蔽する金属板製のシールドケース２１０と、を備えている。
【０００３】
コネクタハウジング１１０の一端面１１０ａは、図８において、シールドケース２１０と矢印Ｘ１方向に対向する端面である。
【０００４】
コネクタハウジング１１０は、一端面１１０ａに、フェルール挿入孔１１１と、外部コネクタ接続部１１３と、を備えている。
【０００５】
フェルール挿入孔１１１は、不図示のフェルールハウジングに支持されたフェルールが挿入される孔である。図示はしていないが、このフェルール挿入孔１１１の内奥には、挿入されたフェルールと突き合わせ接続される光コネクタ部が設けられている。
【０００６】
外部コネクタ接続部１１３は、金属製の接続端子を収容した不図示の外部コネクタが嵌合接続される端子収容部である。この外部コネクタ接続部１１３は、外部コネクタ内の接続端子に嵌合接続される端子金具１１４を支持している。
【０００７】
シールドケース２１０は、一端面１１０ａの上に重なる端面遮蔽板部２１１と、端面遮蔽板部２１１の外周部に折り曲げ形成されてコネクタハウジング１１０の四つの側面の上に重なる４つの側面嵌合壁部２１２ａ，２１２ｂ，２１２ｃ，２１２ｄと、を備えている。
【０００８】
端面遮蔽板部２１１は、図８に示すように、コネクタハウジング１１０の一端面１１０ａ上のフェルール挿入孔１１１を外部に連通させるための開口２２１ａと、一端面１１０ａ上の突出部（例えば、外部コネクタ接続部１１３など）を挿通させる開口２２１ｂ，２２１ｃ……と、を有している。
【０００９】
シールドケース２１０において、開口２２１ａの周囲の領域である周縁部２３１は、フェルールハウジングの先端面と当接して、フェルールハウジングの嵌合方向の位置を決定するフェルールハウジング受け部として機能する。
【００１０】
シールドケース２１０の四つの側面嵌合壁部２１２ａ，２１２ｂ，２１２ｃ，２１２ｄは、コネクタハウジング１１０の四つの側面に重なったときにコネクタハウジング１１０上の係止部１４１（図８参照）に係合する係合片２４１を有している。
【００１１】
シールドケース２１０は、コネクタハウジング１１０の一端面１１０ａに被嵌装着され、側面嵌合壁部２１２ａ，２１２ｂ，２１２ｃ，２１２ｄ上の係合片２４１を、コネクタハウジング１１０の側面上の係止部１４１に係合させることで、コネクタハウジング１１０に固定される。
【００１２】
シールドケース２１０は、不図示のフェルールハウジング及び外部コネクタを嵌合接続可能に、コネクタハウジング１１０の一端面１１０ａ側を覆って、一端面１１０ａを電磁遮蔽する。
【先行技術文献】
【特許文献】
【００１３】
【特許文献１】特開２００９−２３９１３２号公報
【発明の概要】
【発明が解決しようとする課題】
【００１４】
ところで、特許文献１におけるシールドコネクタ１００において、シールドケース２１０は、金属板のプレス成形品で、コネクタの高額化や、重量化の一因となっている。そのため、例えば、動作に影響を及ぼす電磁波の漏洩が周囲に無く、電磁遮蔽が不要な環境下では、シールドケース２１０を不使用にして、コネクタの低コスト化や、軽量化を図りたい。
【００１５】
しかし、特許文献１のシールドコネクタ１００は、シールドケース２１０の周縁部２３１を、フェルールハウジングを位置決めするフェルールハウジング受け部として使用するため、シールドケース２１０を不使用にすると、フェルール挿入孔１１１にフェルールを嵌合させたフェルールハウジングは、周縁部２３１の板厚分だけ、コネクタハウジング１１０の一端面１１０ａから浮き上がった状態になり嵌合方向のクリアランスが大きくなってしまう。そのため、特許文献１のシールドコネクタ１００の場合、上記嵌合方向のクリアランスを大きくしないためには、電磁遮蔽が不要な環境下でも、シールドケース２１０を使用せざるを得ないという問題がある。
【００１６】
そこで、本発明の目的は、上記課題を解消することに係り、電磁遮蔽が不要な環境下では、コネクタハウジングの一端面にシールドケースを装着せずに、前記一端面に直にフェルールハウジングを組み付けて、シールドケースの省略によるコストの削減や軽量化を図ることができるシールドコネクタを提供することにある。
【課題を解決するための手段】
【００１７】
本発明の前述した目的は、下記の構成により達成される。
（１）  一端面に、フェルールハウジングに支持されたフェルールが挿入されるフェルール挿入孔と、前記一端面の一部で前記フェルール挿入孔の周縁部となる挿入孔周縁面に対して前記フェルールハウジングの嵌合方向手前側となる位置に張り出して設けられて前記フェルールハウジングの先端面との当接によって前記フェルールハウジングの嵌合方向の位置を決定するフェルールハウジング受け部と、金属製の接続端子を収容した外部コネクタが嵌合接続される複数の外部コネクタ接続部と、を備えたコネクタハウジングと、
前記フェルールハウジング及び前記外部コネクタを嵌合接続可能に前記一端面側を覆って、前記一端面を電磁遮蔽する金属板製のシールドケースと、
を備えるシールドコネクタであって、
前記挿入孔周縁面を覆う前記シールドケースの周縁面遮蔽部には、該周縁面遮蔽部を前記挿入孔周縁面に重ねる際に前記フェルールハウジング受け部を挿通させて前記フェルールハウジング受け部と前記周縁面遮蔽部との干渉を回避する切欠部を備えていることを特徴とするシールドコネクタ。
【００１８】
（２）  上記（１）に記載のシールドコネクタにおいて、
前記シールドケースは、前記周縁面遮蔽部に着脱可能で、前記フェルールハウジングが装着されない場合に前記前記周縁面遮蔽部に取り付けることで、前記フェルール挿入孔を塞ぐ後付けカバーを備えていることを特徴とするシールドコネクタ。
【００１９】
上記（１）の構成によれば、コネクタハウジングの一端面の一部で、フェルール挿入孔の周縁部である挿入孔周縁面には、フェルールハウジングと当接して該フェルールハウジングを位置決めするフェルールハウジング受け部が備えられている。このフェルールハウジング受け部は、コネクタハウジングの一端面にシールドケースを装着した場合でも、シールドケースの周縁面遮蔽部に備えられた切欠部を挿通して、シールドケースの周縁面遮蔽部よりも嵌合方向手前側に位置し、フェルールハウジングの嵌合方向の位置決めを果たす。
【００２０】
即ち、上記（１）の構成によれば、コネクタハウジングの一端面に装着されるフェルールハウジングの位置決め精度には、シールドケースは影響しない。そのため、電磁遮蔽が不要な環境下では、コネクタハウジングの一端面にシールドケースを装着せずに、前記一端面に直にフェルールハウジングを組み付けることができる。そして、シールドケースを不使用にしたことで、コストを下げると共に、コネクタの軽量化を図ることができる。
【００２１】
上記（２）の構成によれば、フェルールハウジングが装着されない場合には、シールドケースの周縁面遮蔽部に後付けカバーを取り付けて、フェルール挿通用の開口を塞いでおくことで、塵埃等がコネクタハウジング内に進入することを防止することができる。
また、後付けカバーを金属製にしておくことで、電磁遮蔽性能を向上させることもできる。
【発明の効果】
【００２２】
本発明によるシールドコネクタによれば、シールドケースがフェルールハウジングの嵌合方向の位置決め精度に影響を及ぼさないため、電磁遮蔽が不要な環境下では、コネクタハウジングの一端面にシールドケースを装着せずに、前記一端面に直にフェルールハウジングを組み付けて、コストの削減や軽量化を図ることができる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は一実施形態のコネクタハウジングの一端面に取り付けられたシールドケースに後付けカバーを取り付ける前の状態の斜視図である。
【図２】図２は図１に示した後付けカバーがシールドケースに組み付けられた状態の斜視図である。
【図３】図３は図１に示したコネクタハウジングの一端面の正面図である。
【図４】図４は図１のシールドケースの正面図である。
【図５】図５は図１のシールドケースの周縁面遮蔽部に備えた切欠部とコネクタハウジングのフェルールハウジング受け部との位置関係を示す拡大正面図である。
【図６】図６は本発明の一実施形態のシールドケースを装着可能なコネクタハウジングの参考例の正面図である。
【図７】図７は図６に示したＡ−Ａ断面図である。
【図８】図８は従来のシールドコネクタの分解斜視図である。
【図９】図９は図８に示したシールドコネクタのフェルール挿入孔周辺の構造を示す斜視図である。
【発明を実施するための形態】
【００２５】
以下、本発明に係るシールドコネクタの好適な実施形態について、図面を参照して詳細に説明する。
【００２６】
図１〜図５は本発明に係るシールドコネクタの一実施形態を示したもので、図１は一実施形態のコネクタハウジングの一端面に取り付けられたシールドケースに後付けカバーを取り付ける前の状態の斜視図、図２は図１に示した後付けカバーがシールドケースに組み付けられた状態の斜視図、図３は図１に示したコネクタハウジングの一端面の正面図、図４は図１のシールドケースの正面図、図５は図１のシールドケースの周縁面遮蔽部に備えた切欠部とコネクタハウジングのフェルールハウジング受け部との位置関係を示す拡大正面図である。
【００２７】
この一実施形態のシールドコネクタ１は、図１及び図２に示すように、絶縁樹脂製のコネクタハウジング１０と、該コネクタハウジング１０の一端面１０ａに被嵌装着される金属板製のシールドケース２０と、このシールドケース２０に着脱可能な後付けカバー３０と、を備えている。
【００２８】
コネクタハウジング１０は、図３に示すように、一端面１０ａに、不図示のフェルールハウジングに支持されたフェルールが挿入されるフェルール挿入孔１１と、不図示のフェルールハウジングの先端位置を位置決めする複数のフェルールハウジング受け部１４ａ，１４ｂ，１４ｃ，１４ｄと、複数の外部コネクタ接続部１５ａ，１５ｂ，１５ｃ，１５ｄと、外部機材係止部１９ａ，１９ｂ，１９ｃ，……と、を備えている。
【００２９】
本実施形態の場合、フェルール挿入孔１１は、図３に示すように、略四角形の開口である。そして、図示はしていないが、このフェルール挿入孔１１の内奥には、フェルール挿入孔１１に挿入されるフェルールと突き合わせ接続される光コネクタ部が設けられている。
【００３０】
複数のフェルールハウジング受け部１４ａ，１４ｂ，１４ｃ，１４ｄは、コネクタハウジング１０の一端面１０ａの一部でフェルール挿入孔１１の周縁部となる挿入孔周縁面１２に対して、フェルールハウジングの嵌合方向（図１の矢印Ｘ２方向）手前側となる位置に張り出して設けられている。
【００３１】
また、複数のフェルールハウジング受け部１４ａ，１４ｂ，１４ｃ，１４ｄは、フェルールハウジングの先端面の４隅と当接するように、四角形の開口であるフェルール挿入孔１１の４隅の近くに配置されている。
【００３２】
更に詳しく説明すると、フェルールハウジング受け部１４ａは、図３でフェルール挿入孔１１の左上の隅の外側に位置する挿入孔周縁面１２からフェルールハウジングの嵌合方向に沿って突出形成された壁部１６ａ上で、挿入孔周縁面１２から所定距離だけ離間した位置に、嵌合方向と直交する方向に張り出して設けられている。フェルールハウジング受け部１４ｂは、図３でフェルール挿入孔１１の左下の隅の外側に位置する挿入孔周縁面１２からフェルールハウジングの嵌合方向に沿って突出形成された壁部１６ｂ上で、挿入孔周縁面１２から所定距離だけ離間した位置に、嵌合方向と直交する方向に張り出して設けられている。フェルールハウジング受け部１４ｃは、図３でフェルール挿入孔１１の右上の隅の外側に位置する挿入孔周縁面１２からフェルールハウジングの嵌合方向に沿って突出形成された壁部１６ｃ上で、挿入孔周縁面１２から所定距離だけ離間した位置に、嵌合方向と直交する方向に張り出して設けられている。フェルールハウジング受け部１４ｄは、図３でフェルール挿入孔１１の右下の隅の外側に位置する挿入孔周縁面１２からフェルールハウジングの嵌合方向に沿って突出形成された壁部１６ｄ上で、挿入孔周縁面１２から所定距離だけ離間した位置に、嵌合方向と直交する方向に張り出して設けられている。
【００３３】
複数のフェルールハウジング受け部１４ａ，１４ｂ，１４ｃ，１４ｄは、フェルールハウジングに支持されたフェルールのフェルール挿入孔１１への挿入が完了するときに、前記フェルールハウジングの先端面の４隅と当接して、前記フェルールハウジングの嵌合方向の位置を決定する。即ち、複数のフェルールハウジング受け部１４ａ，１４ｂ，１４ｃ，１４ｄは、前記フェルールハウジングを嵌合完了位置に、位置決めする。
【００３４】
複数の外部コネクタ接続部１５ａ，１５ｂ，１５ｃ，１５ｄは、金属製の接続端子を収容した不図示の外部コネクタが嵌合接続される部位である。複数の外部コネクタ接続部１５ａ，１５ｂ，１５ｃ，１５ｄは、一端面１０ａから突出して設けられている。これらの複数の外部コネクタ接続部１５ａ，１５ｂ，１５ｃ，１５ｄは、図１に示すように、不図示の外部コネクタ内の接続端子と嵌合する金属製の接続端子１８ａ，１８ｂ，１８ｃ，１８ｄを支持する。
【００３５】
外部機材係止部１９ａ，１９ｂ，１９ｃ，……は、コネクタハウジング１０の一端面１０ａの外側に配置される機材等の係止手段として利用される部位で、一端面１０ａに突出して設けられている。
【００３６】
シールドケース２０は、金属板のプレス成形品で、図１及び図４に示すように、コネクタハウジング１０の一端面１０ａの上に被さる略四角形の端面対向板部２１と、この端面対向板部２１の外周の４辺から延出してコネクタハウジング１０の４つの側面と係合する４つの側面係合板部２２ａ，２２ｂ，２２ｃ，２２ｄと、を備えている。
【００３７】
シールドケース２０の端面対向板部２１は、図１に示すように、コネクタハウジング１０の一端面１０ａに重なって、該一端面１０ａを覆う。この端面対向板部２１には、図４に示すように、一端面１０ａに突設されている部位を挿通させる各種の挿通用開口２３ａ，２３ｂ，２３ｃ，……と、フェルール挿入孔１１に対応する位置に設けられるフェルール挿通用の開口２４ａ，２４ｂと、が備えられている。
【００３８】
一端面１０ａに突設されている部位とは、複数の外部コネクタ接続部１５ａ，１５ｂ，１５ｃ，１５ｄや、外部機材係止部１９ａ，１９ｂ，１９ｃ，……などが該当する。
【００３９】
フェルール挿通用の開口２４ａ，２４ｂは、不図示のフェルールハウジングに支持されたてフェルールを挿通させるための開口である。
【００４０】
シールドケース２０の端面対向板部２１において、フェルール挿通用の開口２４ａ，２４ｂの周囲の領域を形成している部位Ｂ１は、前述の挿入孔周縁面１２の上を覆う周縁面遮蔽部である。この周縁面遮蔽部Ｂ１は、フェルール挿通部の周囲を電磁遮蔽する。
【００４１】
本実施形態の場合、シールドケース２０は、端面対向板部２１に、各種の挿通用開口２３ａ，２３ｂ，２３ｃ，……と、フェルール挿通用の開口２４ａ，２４ｂと、を備えたことによって、フェルールハウジング及び外部コネクタを嵌合接続可能に、コネクタハウジング１０の一端面１０ａ側を覆って、コネクタハウジング１０の一端面１０ａを電磁遮蔽する。
【００４２】
更に、本実施形態のシールドケース２０は、図４及び図５に示すように、挿入孔周縁面１２を覆う周縁面遮蔽部Ｂ１に、該周縁面遮蔽部Ｂ１を挿入孔周縁面１２に重ねる際にフェルールハウジング受け部１４ａ，１４ｂ，１４ｃ，１４ｄを挿通させる切欠部２６ａ，２６ｂ，２６ｃ，２６ｄを、備えている。ここに、切欠部２６ａはフェルールハウジング受け部１４ａを挿通させるための切欠部であり、切欠部２６ｂはフェルールハウジング受け部１４ｂを挿通させるための切欠部であり、切欠部２６ｃはフェルールハウジング受け部１４ｃを挿通させるための切欠部であり、切欠部２６ｄはフェルールハウジング受け部１４ｄを挿通させるための切欠部である。
【００４３】
本実施形態のシールドケース２０は、上記切欠部２６ａ，２６ｂ，２６ｃ，２６ｄを備えたことによって、コネクタハウジング１０の一端面１０ａに組み付けた際に、図５に示すように、該フェルールハウジング受け部１４ａ，１４ｂ，１４ｃ，１４ｄを周縁面遮蔽部Ｂ１よりも嵌合方向手前側に位置させる。
【００４４】
後付けカバー３０は、周縁面遮蔽部Ｂ１に着脱可能に形成される。この後付けカバー３０は、図１に示すようにコネクタハウジング１０にフェルールハウジングが装着されない場合に、図２に示すように周縁面遮蔽部Ｂ１に取り付けることで、シールドケース２０のフェルール挿通用の開口２４ａ，２４ｂを塞ぐ。なお、後付けカバー３０は、電磁遮蔽機能を持たせるために、金属板で形成することが望ましい。
【００４５】
以上に説明した一実施形態のシールドコネクタ１によれば、コネクタハウジング１０の一端面１０ａの一部で、フェルール挿入孔１１の周縁部である挿入孔周縁面１２には、フェルールハウジングと当接して該フェルールハウジングを位置決めするフェルールハウジング受け部１４ａ，１４ｂ，１４ｃ，１４ｄが備えられている。このフェルールハウジング受け部１４ａ，１４ｂ，１４ｃ，１４ｄは、コネクタハウジング１０の一端面１０ａにシールドケース２０を装着した場合でも、シールドケース２０の周縁面遮蔽部Ｂ１に備えられた切欠部２６ａ，２６ｂ，２６ｃ，２６ｄを挿通して、シールドケース２０の周縁面遮蔽部Ｂ１よりも嵌合方向手前側に位置し、フェルールハウジングの嵌合方向の位置決めを果たす。
【００４６】
即ち、一実施形態のシールドコネクタ１によれば、コネクタハウジング１０の一端面１０ａに装着されるフェルールハウジングの位置決め精度には、シールドケース２０は影響しない。そのため、電磁遮蔽が不要な環境下では、コネクタハウジング１０の一端面１０ａにシールドケース２０を装着せずに、一端面１０ａに直にフェルールハウジングを組み付けることができる。そして、シールドケース２０を不使用にしたことで、コストを下げると共に、コネクタの軽量化を図ることができる。
【００４７】
また、一実施形態のシールドコネクタ１の場合、フェルールハウジングが装着されない場合には、シールドケース２０の周縁面遮蔽部Ｂ１に後付けカバー３０を取り付けて、図２に示したようにフェルール挿通用の開口２４ａ，２４ｂを塞いでおくことで、塵埃等がコネクタハウジング１０内に進入することを防止することができる。
【００４８】
また、後付けカバー３０を金属製にしておくことで、電磁遮蔽性能を向上させることもできる。
【００４９】
図６は、本発明の一実施形態のシールドケースを装着可能なコネクタハウジングの参考例の正面図である。
【００５０】
このコネクタハウジング１０Ａは、一実施形態のコネクタハウジング１０の一部の構造を変更したもので、変更箇所以外は、一実施形態のコネクタハウジング１０と共通の構成である。一実施形態のコネクタハウジング１０と共通な構成については、同番号を付して説明を省略する。
【００５１】
参考例のコネクタハウジング１０Ａにおいて、一実施形態のコネクタハウジング１０からの変更箇所は、フェルール挿入孔１１を廃止して、代わりに封止壁４０を一端面１０ａに一体形成した点である。
【００５２】
参考例のコネクタハウジング１０Ａは、一実施形態のコネクタハウジング１０を成形する成形金型を流用して製造される。コネクタハウジング１０Ａにおける封止壁４０は、コネクタハウジング１０を成形する成形金型に金属コマを入れて、金属コマにより封止壁４０用のキャビティを追加形成することで、一端面１０ａに一体成形する。
【００５３】
参考例のコネクタハウジング１０Ａは、フェルールハウジングを接続しないことが事前に確定している場合に、コネクタハウジング１０の代わりに使用される。このような場合に参考例のコネクタハウジング１０Ａを使用することで、後付けカバー３０の取り付け作業が不要になり、作業性を向上させることができる。
【００５４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、コネクタハウジングの一端面に装備されるフェルール挿入孔の形状や数量、外部コネクタ接続部の形状や数量等は、適宜に設計変更可能である。なお、コネクタハウジングの一端面に装備されるフェルール挿入孔や外部コネクタ接続部の形状や数量が変更された場合には、それに相応して、シールドケースの端面対向板部に装備される挿通用開口やフェルール挿通用の開口の形状や数量が変更されることは言うまでもない。
【００５６】
ここで、上述した本発明に係るシールドコネクタの実施形態の特徴をそれぞれ以下［１］〜［２］に簡潔に纏めて列記する。
【００５７】
［１］  一端面（１０ａ）に、フェルールハウジングに支持されたフェルールが挿入されるフェルール挿入孔（１１）と、前記一端面（１０ａ）の一部で前記フェルール挿入孔（１１）の周縁部となる挿入孔周縁面（１２）に対して前記フェルールハウジングの嵌合方向手前側となる位置に張り出して設けられて前記フェルールハウジングの先端面との当接によって前記フェルールハウジングの嵌合方向の位置を決定するフェルールハウジング受け部（１４ａ，１４ｂ，１４ｃ，１４ｄ）と、金属製の接続端子を収容した外部コネクタが嵌合接続される複数の外部コネクタ接続部（１５ａ，１５ｂ，１５ｃ，１５ｄ）と、を備えたコネクタハウジング（１０）と、
前記フェルールハウジング及び前記外部コネクタを嵌合接続可能に前記一端面（１０ａ）側を覆って、前記一端面（１０ａ）を電磁遮蔽する金属板製のシールドケース（２０）と、
を備えるシールドコネクタ（１）であって、
前記挿入孔周縁面（１２）を覆う前記シールドケース（２０）の周縁面遮蔽部（Ｂ１）には、該周縁面遮蔽部（Ｂ１）を前記挿入孔周縁面（１２）に重ねる際に前記フェルールハウジング受け部（１４ａ，１４ｂ，１４ｃ，１４ｄ）を挿通させて前記フェルールハウジング受け部（１４ａ，１４ｂ，１４ｃ，１４ｄ）と前記周縁面遮蔽部（Ｂ１）との干渉を回避する切欠部（２６ａ，２６ｂ，２６ｃ，２６ｄ）を備えていることを特徴とするシールドコネクタ（１）。
【００５８】
［２］  上記［１］に記載のシールドコネクタ（１）において、
前記シールドケース（２０）は、前記周縁面遮蔽部（Ｂ１）に着脱可能で、前記フェルールハウジングが装着されない場合に前記前記周縁面遮蔽部（Ｂ１）に取り付けることで、前記フェルール挿入孔（１１）を塞ぐ後付けカバー（３０）を備えていることを特徴とするシールドコネクタ（１）。
【符号の説明】
【００５９】
１  シールドコネクタ
１０  コネクタハウジング
１０ａ  一端面
１１  フェルール挿入孔
１２  挿入孔周縁面
１４ａ，１４ｂ，１４ｃ，１４ｄ  フェルールハウジング受け部
１５ａ，１５ｂ，１５ｃ，１５ｄ  外部コネクタ接続部
２０  シールドケース
２６ａ，２６ｂ，２６ｃ，２６ｄ  切欠部
３０  後付けカバー
Ｂ１  周縁面遮蔽部
【図１】
2014102986.tif 000003
【図２】
2014102986.tif 000004
【図３】
2014102986.tif 000005
【図４】
2014102986.tif 000006
【図５】
2014102986.tif 000007
【図６】
2014102986.tif 000008
【図７】
2014102986.tif 000009
【図８】
2014102986.tif 000010
【図９】
2014102986.tif 000011